(57)【要約】  写真処理方法では、複数のプリント可能なイメージフレームを有するイメージユニットが受け付けされる。イメージフレームは、サブチャネル情報を有するデータフレームを含む。サブチャネル情報の存在の指標が検出される。すべてのイメージフレームのビットストリームが生成される。当該指標に応じて、データフレームがビットストリームから抽出され、サブチャネル情報がデータフレームから読み取られる。ビットストリームのイメージフレームのフルフィルメントが、サブチャネル情報に従って提供される。指標が検出されない場合、イメージフレームが異なるデフォルトサブチャネルに従ってフルフィルされる。
2008525852.tif 000002
【特許請求の範囲】
【請求項１】
サブチャネル情報を有するデータフレームを含む複数のプリント可能なイメージフレームを有するイメージユニットを受け付けるステップと、
前記イメージユニットに係る指標であって、前記イメージユニットにおける前記サブチャネル情報の存在の指標を検出するステップと、
前記イメージフレームのビットストリームを生成するステップと、
前記指標に応答して、前記ビットストリームから前記データフレームを抽出するステップと、
前記データフレームから前記サブチャネル情報を読み取るステップと、
前記サブチャネル情報に従って前記ビットストリームのイメージフレームのフルフィルメントを提供するステップと、
を有する写真処理方法。
【請求項２】
前記フルフィルメントから前記データフレームを自動的に除外するステップをさらに有する、請求項１記載の方法。
【請求項３】
前記検出するステップは、前記生成するステップに先行する、請求項１記載の方法。
【請求項４】
前記検出するステップはさらに、処理チャネルを指定する前記イメージユニットに係るエンコードメントを読み取るステップを有し、
前記生成するステップは、前記処理チャネルに従う、請求項１記載の方法。
【請求項５】
前記イメージユニットの少なくとも一部は、写真フィルム上に記録された潜像を有し、
前記生成するステップはさらに、可視的なイメージを提供するため、前記潜像を化学的に現像し、前記可視的なイメージをスキャンするステップを有する、請求項４記載の方法。
【請求項６】
前記抽出するステップはさらに、前記データフレームを表示するステップを有する、請求項１記載の方法。
【請求項７】
前記抽出するステップはさらに、前記データフレームをプリントするステップを有する、請求項１記載の方法。
【請求項８】
前記生成するステップの前に、前記データフレームをキャプチャするステップをさらに有する、請求項１記載の方法。
【請求項９】
前記イメージユニットは、メディアと該メディアを保持するケーシングとを有し、
前記エンコードメントは、前記ケーシングの外部で可読である、請求項１記載の方法。
【請求項１０】
前記メディアは、デジタルメモリである、請求項９記載の方法。
【請求項１１】
前記メディアは、写真フィルムである、請求項９記載の方法。
【請求項１２】
前記データフレームは、１以上の他の前記イメージフレームと同一のアスペクト比を有する、請求項１記載の方法。
【請求項１３】
前記データフレームは、１以上の他の前記イメージフレームと異なる解像度を有する、請求項１記載の方法。
【請求項１４】
前記データフレームは、イメージである、請求項１記載の方法。
【請求項１５】
前記データフレームは、人間により可読なロゴを含むイメージである、請求項１記載の方法。
【請求項１６】
サブチャネル情報を有するデータフレームと複数のユーザピクチャフレームとを含む複数のプリント可能なイメージフレームを有するイメージユニットを受け付けるステップと、
前記イメージユニットに係る指標であって、前記イメージユニットにおける前記サブチャネル情報の存在の指標を検出しようとするステップと、
前記イメージフレームのビットストリームを生成するステップと、
前記指標が検出されると、（ａ）前記ビットストリームから前記データフレームを自動的に抽出し、（ｂ）前記データフレームから前記サブチャネル情報を読み取り、（ｃ）前記サブチャネル情報に従って前記ビットストリームの前記ユーザピクチャフレームのフルフィルメントを提供し、（ｄ）前記フルフィルメントから前記データフレームを自動的に排除するステップと、
前記指標が検出されないとき、所定のデフォルト情報に従って前記データフレームと前記ユーザピクチャフレームとのフルフィルメントを提供するステップと、
を有する写真処理方法。
【請求項１７】
前記検出するステップはさらに、前記イメージユニットに係る処理チャネルを指定するエンコードメントを読み取るステップを有し、
前記生成するステップは、前記処理チャネルに従う、請求項１６記載の方法。
【請求項１８】
前記イメージユニットの少なくとも一部は、写真フィルム上に記録された潜像を有し、
前記生成するステップはさらに、可視的なイメージを提供するため、前記潜像を化学的に現像し、前記可視的なイメージをスキャンするステップを有する、請求項１７記載の方法。
【請求項１９】
各グループの各イメージユニットがイメージフレームのセットを有し、第１イメージユニットグループの各イメージフレームセットがサブチャネル情報を有するデータフレームとユーザピクチャフレームとを含み、第２イメージユニットグループの各イメージフレームセットがユーザピクチャフレームのみを含む、第１及び第２イメージユニットグループを受け付けるステップと、
前記第１イメージユニットグループの各イメージフレームセットにおける前記サブチャネル情報の存在を検出するステップと、
第１及び第２ユニットビットストリームを提供するため、それぞれ前記第１及び第２イメージユニットグループの各イメージフレームセットのビットストリームを生成するステップと、
前記検出に応答して、各第１ユニットビットストリームから各データフレームを自動的に抽出するステップと、
前記抽出するステップに続いて、前記データフレームから前記サブチャネル情報を読み取るステップと、
前記サブチャネル情報に従って前記第１ユニットビットストリームの各イメージフレームセットを処理するステップと、
所定のデフォルト情報に従って前記第２ユニットビットストリームの各イメージフレームセットを処理するステップと、
を有する方法。
【請求項２０】
前記第１及び第２グループのイメージユニットは、ランダムな組み合わせにより受け付けされる、請求項１９記載の方法。
【請求項２１】
前記イメージユニットの少なくとも一部は、写真フィルムを有し、
前記生成するステップはさらに、前記フィルムを化学的に現像し、その後、該フィルムをデジタルスキャンするステップを有する、請求項１９記載の方法。
【請求項２２】
前記受け付けるステップに続いて、各々が前記サブチャネル情報を特定する各イメージユニット上のエンコードメントを読み取るステップをさらに有する、請求項１９記載の方法。
【請求項２３】
各イメージユニットがイメージフレームセットを有し、第１サブグループのイメージユニットの各イメージフレームがデータフレームを有し、第２サブグループのイメージユニットの各イメージフレームがデータフレームを欠いた、イメージユニットグループにおいて外部的に検出可能なフラグを有する第１サブグループと該フラグを欠いた第２サブグループとを特定するステップと、
各デジタルイメージセットが複数のデジタルイメージを有し、各デジタルイメージが前記イメージフレームの対応するものの派生物である、デジタルイメージセットのランダムに順序付けされたシーケンスを有する連続するデジタルイメージストリームを生成するステップと、
前記デジタルイメージストリームから前記データストリームを抽出するステップと、
対応するサブチャネル情報を提供するため、各データフレームを復号化するステップと、
前記サブチャネル情報に従って前記第１サブグループに対応するデジタルイメージセットを処理するステップと、
所定のデフォルト情報に従って前記第２サブグループに対応するデジタルイメージセットを処理するステップと、
を有する写真処理方法。
【請求項２４】
前記イメージユニットの少なくとも一部は、写真フィルム上に記録された潜像を有し、
前記生成するステップはさらに、可視的なイメージを提供するため、前記潜像を化学的に現像し、前記可視的なイメージをスキャンするステップを有する、請求項２３記載の方法。
【請求項２５】
前記データフレームは、プリント可能である、請求項２３記載の方法。
【請求項２６】
フィルムカートリッジにおけるサブチャネル情報の存在を検出するステップと、
前記フィルムカートリッジからファイルストリップを取り除くステップと、
現像されたフィルムストリップを提供するため、フィルム現像チャネルに従って前記フィルムストリップを現像するステップと、
複数のユーザピクチャフレームとデータフレームとを有するイメージフレームのビットストリームを提供するため、前記現像されたフィルムストリップをスキャンするステップと、
前記検出に応答して、前記ビットストリームのイメージフレームから前記データフレームを抽出するステップと、
前記データフレームを読み取るステップと、
前記データフレームに従って前記イメージフレームを処理するステップと、
を有する写真処理方法。
【請求項２７】
前記検出するステップはさらに、前記フィルム処理チャネルを特定し、前記データフレームの存在を指定する前記フィルムカートリッジ上のエンコードメントを読み取るステップを有する、請求項２６記載の方法。
【請求項２８】
前記データフレームは、前記イメージフレームのその他のものと同一サイズである、請求項２６記載の方法。
【請求項２９】
サブチャネル情報を有するデータフレームと複数のユーザピクチャフレームとを有する複数のイメージフレームを有するイメージユニットを写真処理するシステムであって、
前記イメージユニットを保持するよう構成される検出ステーションと、
前記イメージユニットにおける前記サブチャネル情報の存在を検出可能であって、前記検出ステーションに動作関連して搭載される検出器と、
前記イメージフレームのビットストリームを生成可能なビットストリーム生成器と、
前記検出に応答して前記ビットストリームのイメージフレームからデータフレームを抽出するようプログラムされ、前記検出器に動作可能に接続され、前記ビットストリーム生成器から前記ビットストリームを受け付ける制御ユニットと、
を有するシステム。
【請求項３０】
データフレームと複数のユーザピクチャフレームとを含む複数のイメージフレームを有するフィルムストリップを有するフィルムカートリッジを写真処理するシステムであって、
前記フィルムカートリッジを保持するよう構成される検出ステーションと、
前記フィルムカートリッジにおける前記サブチャネル情報の存在を検出可能な、前記検出ステーションに動作関連して搭載される検出器と、
現像されたフィルムストリップを提供するため、前記フィルムストリップを受け付け、化学的に現像することが可能なフィルム現像ユニットと、
イメージフレームのビットストリームを提供するため、前記現像されたフィルムストリップをスキャン可能なスキャナと、
前記検出に応答して、前記ビットストリームのイメージフレームから前記データフレームを抽出するようプログラムされ、前記検出器に動作可能に接続され、前記スキャナから前記ビットストリームを受け付ける制御ユニットと、
を有するシステム。
【請求項３１】
前記制御ユニットは、前記データフレームを自動的に読み取り、前記データフレームに従って前記イメージフレームをデジタル処理する、請求項３０記載のシステム。
【発明の詳細な説明】
【発明の詳細な説明】
【０００１】
［発明の分野］
本発明は、写真加工（ｐｈｏｔｏｆｉｎｉｓｈｉｎｇ）の分野に関し、特にカスタマイズされた又は特殊化された写真加工に関する。より詳細には、本発明は、データフレームにより指定されたサブチャネルを使用して写真加工を制御する方法及びシステムに関する。
［発明の背景］
写真イメージの写真加工は、写真フィルム又は他のイメージユニット若しくはイメージ単位及び所望の出力の性質に応じて、各種技術により提供することが可能である。ときどき“チャネル”と呼ばれるものにより技術を規定することが便利である。例えば、フィルムによって、各チャネルは、当該チャネルにおいて写真加工されるフィルムのタイプの化学的性質により異なる。Ｔｙｐｅ１３５（３５ｍｍ）などのフィルムタイプによって、チャネルは、フィルムカートリッジの外側に設けられるＤＸコードにより示される。サブチャネルは、各チャネル内に設けることが可能である。サブチャネルは、デフォルト特徴セットに対する化学処理、デジタル処理又はその両方の特徴について異なっている。デフォルト以外のサブチャネルは、任意的なものである。
【０００２】
メモリユニット上のデジタルイメージの写真加工は、特にイメージがさらなるユーザのやりとりなしに以降の引渡のためシステムに入力されるとき、フィルムの写真加工と比較することができる。例えば、これは、編集又は他の変更なしに写真加工ミニラボに入力されるメモリユニットに適用される。この結果は、通常はデフォルトサブチャネルに従って出力を提供する。
【０００３】
図２は、従来のシステム２００を示す。フィルムカートリッジの形式によるイメージユニット２０４が、エントリステーション２０６において入力される。ＤＸコードなどのチャネル情報２０２が、検出器２０５を使用して写真フィルムイメージユニット２０４上で検出される。チャネル情報は、コントローラ又はコントロールユニット２０８に送信される。フィルムユニット２０４のフィルムストリップ２１０は、チャネル情報に従って現像ユニット２１２において化学処理される。現像されたフィルムストリップ２１０は、スキャナ２１３によりスキャンされ、イメージのビットストリーム２１４は、デフォルトサブチャネル２１６に従ってイメージのためのフルフィルメント命令を提供するコントローラ２０８に送信される。図示される出力装置２１８は、プリンタであり、出力２２０は、カラープリントである。システム２００は、同様の結果を生成するためデジタルイメージユニット（図示せず）と共に利用可能なリーダ２２２を有する。
【０００４】
可変的な写真加工に対する１つのアプローチは、異なるアスペクト比を有するプリントのユーザ選択を提供するＡｄｖａｎｃｅｄ  Ｐｈｏｔｏｇｒａｐｈｙ  ＳｙｓｔｅｍＴＭにより提供される。このアプローチは、特殊なカメラと他の装置を必要とし、限定的で固定された種類の出力しか提供しない。
【０００５】
Ｂｅｌｚらによる米国特許出願第２００３／００９０５７２号に開示される他のアプローチは、サブチャネル情報を送信するための特殊なデジタルファイルを使用する。このアプローチはまた、当該ファイルを生成することができる装置を使用することを要求する。
【０００６】
既存のデフォルトサブチャネルに対して最小限の影響と低コストを有する他のサブチャネルにアクセスするシンプルなアプローチが望まれる。
【０００７】
Ｌａｗｔｈｅｒによる米国特許第６，３１１，０１８号は、特定のフィルムロールが擬似パノラマや擬似ズームなどの複数のフォーマットによるプリントを提供する特定のサブチャネルと特定のチャネルの両方のためのものであることをＤＸコードが示す方法を提案する。複数のフォーマット機能を有するカメラが、何れの擬似フォーマットプリントが各フレームについて所望されているか示すため、各イメージフレームのイメージエリア内に第２コードを配置する。写真加工装置は、フィルムチャネルとサブチャネルとを示すＤＸコードを読み取り、その後、各フレームについてコードを読み取る。特定のフォーマットを選択するコードが、特定のフレームのイメージエリアに提供される必要があり、又は当該イメージが、標準的なフルフレームイメージとしてプリントされる。このアプローチの欠点は、ＤＸが特定のサブチャネルに限定され、特殊なカメラがイメージフレームのコードに適用されるのに必要とされるということである。
【０００８】
Ｐｅｔｒｕｃｈｉｋによる米国特許第５，５８７，７５２号は、合成のため予め記録されているイメージセットを指定するため、フィルムストリップのトレイラエンド近くに配置されたデータフレームを使用するフィルムカートリッジを開示している。当該方法は、特殊なカメラを使用してフィルム上にマークを配置する。これらのマークは、データフレームにより特定される予め記録されているイメージセットから選択される。当該方法は、特殊なカメラを必要とするが、データフレームは、他のフィルムフレームをスキャンするのに使用される同一のスキャナを使用したデジタル写真加工装置によってスキャン可能である。
【０００９】
Ｍｉｌｃｈによる米国特許第６，４２９，９２４号は、Ｐｅｔｒｕｃｈｉｋに類似するが、フィルムストリップの各エンドのパターンのイメージの形式によりデータフレームを有する。このパターンは、写真加工中にスキャンされると、各フレームのメタデータがイメージシーケンスを有するフィルムストリップの部分内に存在することを示す。
【００１０】
Ｆｒｅｄｌｕｎｄらによる米国特許第６，６２８，８９５号は、データフレームの情報を有するカードを写真加工することによって、カメラ内のフィルムユニット上の１つのデータフレームをキャプチャする方法を開示している。
【００１１】
データフレームを使用した写真加工では、すべてのイメージユニットは、データフレームの存在についてチェックすることが可能である。これは、かなりの処理時間を消費し、データフレームを欠いたイメージユニットにとっては無駄となる。
【００１２】
従って、イメージユニット上のデータフレームの存在が簡単かつ効率的に確認される改良された方法及びシステムを提供することが望ましい。
［発明の概要］
本発明は、各請求項により規定される。本発明は、より広範な側面では、複数のプリント可能なイメージフレームを有するイメージユニットが受け付けされる写真処理方法を提供する。イメージフレームは、サブチャネル情報を有するデータフレームを含む。サブチャネル情報の存在の指標が検出される。すべてのイメージフレームのビットストリームが、生成される。当該指標に応答して、データフレームがビットストリームから抽出され、サブチャネル情報がデータフレームから読み取られる。ビットストリームのイメージフレームのフルフィルメントが、サブチャネル情報に従って提供される。指標が検出されない場合、イメージフレームは、異なるデフォルトサブチャネルに従ってフルフィルされる。
【００１３】
本発明の効果的な効果は、イメージユニット上のデータフレームの存在が簡単かつ効率的に確認される改良された方法及びシステムが提供されるということである。
［発明の詳細な説明］
図１及び３を参照するに、本方法及びシステム３００において、イメージユニット３０２が、エントリステーション２０６において受け付けされる。イメージユニット３０２は、データフレームと１以上の非データフレームとを含むプリント可能なイメージフレームを有する。データフレームは、読み取り可能なマークの形式によりサブチャネル情報を有する。サブチャネル情報の存在の指標３０４は、イメージユニット３０２に関連付けされる。指標３０４が検出される（３０３）。イメージフレームのビットストリーム３０６が形成され（３０５）、コントローラ又はコントロールユニット３０８に送信される。指標３０４に応答して、データフレームがデータフレーム抽出器３１０によりビットストリーム３０６から抽出され、非データフレームは残される。データフレームのサブチャネル情報が読み取られ（３０９）、サブチャネルライブラリ３１２がアクセスされ、表示されたサブチャネル（白黒への変換など）が、サブチャネル情報に従ってデータフレームサブチャネル３１４を提供するため（３１１）、データフレーム以外のイメージフレームに適用される。データフレームサブチャネルは、出力装置２１８（プリンタとして示される）に命令として送信され、白黒プリント３１６などの出力２２０が提供される。データフレームのプリント又は他のフルフィルメントは、好ましくは、自動的に抑制される（３１３）。同一のシステムが、図２と同様にデフォルトサブチャネルに従って、指標を欠落し、又は可読でない指標を有するイメージユニットのイメージフレームのフルフィルメントを提供する。
【００１４】
本方法及びシステムは、イメージフレームとしてイメージユニットにおいてキャプチャされたシーンのライトイメージ（ｌｉｇｈｔ  ｉｍａｇｅ）に関する。“イメージユニット又はイメージ単位（ｉｍａｇｅ  ｕｎｉｔ）”という用語は、ここではフィルムユニットとメモリユニットの両方を参照するのに使用される。フィルムユニットは、フィルムストリップなどのフィルムの小片を有し、いくつかのタイプのフィルムユニットについて、フィルムストリップのホルダを有する。メモリユニットは、電子カメラ又は他のキャプチャ装置のためデジタルメモリを提供するコンピュータ可読なデジタル記憶媒体を含む。メモリの形式は、重要ではない。例えば、メモリは、光ＣＤ又はＤＶＤなどの光学的なものとすることが可能であり、デジタルメモリカードなどの電子的なものとすることが可能であり、又は磁気テープなどの磁気的なものとすることが可能である。以下の説明は、一般にＴｙｐｅ１３５写真フィルムカートリッジを使用した実施例に関するが、同様のことが他の実施例に適用される。
【００１５】
イメージユニットは、複数のフレームを有する。“フレーム”という用語は、ここではキャプチャされたイメージを格納又は格納可能なイメージユニット内のスペースを参照するのに使用される。“イメージフレーム”という用語は、ここではイメージをイメージ情報として格納するフレームを参照するのに使用される。イメージ情報は、写真フィルムのケースではアナログであり、潜像（化学処理前）又は可視的なイメージ（化学処理後）の形式をとりうる。イメージ情報は、メモリユニットのケースではデジタルである。
【００１６】
イメージユニットは、一般にここではアーカイブイメージ情報のキャプチャと格納の両方について使用される同一のメディアに関して説明される。格納されているイメージは、一部のケースでは、比較可能な特性を有する交換媒体に１回以上転写されるかもしれないということが理解されるべきである。例えば、イメージユニットは、使い捨て写真カメラの特徴から開始することが可能である。フィルム露光後、カメラ本体が取り除かれ、フィルムストリップがそれのキャニスタから取り除かれ、現像され、フィルムがスキャンされ、結果として得られるデジタルイメージが、メモリに格納され、デジタル処理される。デジタルカメラによりキャプチャされたイメージフレームは、写真加工中に１つのタイプのデジタルメモリから他のタイプのものに転送される。イメージユニットのイメージフレームは、少なくとも写真加工を介して互いに関連付けを維持される。
【００１７】
格納されているイメージフレームは、一般にここでは被写体の実際のイメージであって、もとのライトイメージと同一の変更されない情報コンテンツを有するものとして処理される。これは、説明の便宜上与えられる簡単化であり、キャプチャ及び格納されたイメージフレームは、当業者に周知な方法により初期的にキャプチャされたイメージと異なるものとなることが理解されるであろう。例えば、イメージフレームは、キャプチャ及び格納されたイメージフレームがイメージングシステム及びメディアの制限を受けるため、もとのライトイメージとは異なっているに違いない。フィルムイメージフレームは、グレインサイズなどの制限を受ける。デジタルイメージフレームは、必ずピクセル化され、通常は近傍ピクセルから部分的に外挿されるカラー値を有する。両方のタイプのイメージフレームがまた、例えば、センサ不具合により劣化した画素値を外挿するため、キャプチャと出力との間のエンハンスメント又は他の改良を受けるようにしてもよい。フィルム上のイメージフレームは、一般にイメージを可視化するための変更を要するフィルムネガ又は特定タイプのデジタルイメージファイルなど、非現実的な形式により格納される。デジタルイメージフレームが表示又はプリントされる必要があり、特定の表示装置のための解読又は変更などの他の変更を要するかもしれない。
【００１８】
イメージフレームは、“データフレーム”と“非データフレーム”とを有する。データフレームは、予想される写真加工システムによって読み取り可能な固有のマークを有するイメージである。他のイメージフレームは、非データフレームである。一般に、非データフレームは、プリントされた最終的なイメージ又は他の形式による最終的なイメージを取得するため、カメラのユーザによりキャプチャされたイメージであるユーザピクチャフレーム（図１に示されるような）である。ユーザは、一般には常にではないがエンドユーザである。他のタイプの非データフレームが可能である。例えば、あるハイエンドカメラは、フィルム着脱前にイメージキャプチャ情報を有する１以上のイメージフレームを光学的に書き込む。
【００１９】
“写真加工”という用語は、ここではプリントされた若しくは表示されたイメージ又はプリント可能な若しくは表示可能なデジタルイメージである“最終的なイメージ”として呼ばれる可視的な出力を生成するのに使用される１以上の物理的、化学的、光学的及びデジタル技術を参照するのに使用される。従って、写真加工は、化学的現像、デジタルイメージ変更及びプリントなどの技術を含む。写真加工はイメージユニットに繰り返し提供可能であるが、この繰り返しは同一の技術を繰り返すものであってもよいし、そうでなくてもよい。例えば、写真フィルムタイプのイメージユニットの初期的な写真加工は、化学的現像を含むであろう。同一のイメージユニットの以降の写真加工はそうでないかもしれない。“写真加工システム”は、写真加工機能を提供する装置又はローカル若しくはリモートリンクした装置のグループである。
【００２０】
データフレームはイメージフレームであり、このため、ハードコピーイメージとしてプリント可能であり、非データフレームと同じ方法により表示イメージとして表示可能である。データフレームは、ライトイメージの写真とすることが可能であり、又はデジタルイメージユニットによりデジタル生成可能である。データフレームは、そうでない場合に非データフレームにより占有されうるイメージユニットのスペースを占有する。データフレームはイメージユニットに格納され、非データフレームと同じ方法によりイメージユニットから抽出される。
【００２１】
フィルムでは、データフレームが他のイメージと同じ方法によりイメージユニットから抽出される又は抽出可能であるという要件は、フィルムストリップのデータフレームを当該イメージと同一のフィルムストリップのエリアにローカライズする。例えば、データフレームは、フィルムストリップのパーフォレーション（ｐｅｒｆｏｒａｔｉｏｎ）の外側に又はそれらの間には配置することができない。データフレームは、フィルムストリップの当該部分が最終的な出力に低減することが可能である場合に限って、他のイメージと同じ方法により写真加工中にリーダ（ｌｅａｄｅｒ）又はトレイラ（ｔｒａｉｌｅｒ）上に配置可能である。多くのタイプのフィルムカメラでは、キャプチャされる各イメージは、同一サイズであり、すなわち、すべての“格納”は、狭い制限内の標準的で一様なサイズとなる。このようなフィルムカメラタイプでは、データフレームは、好ましくは、イメージフレームと同一サイズとなる。これは可変的なものとすることが可能である。例えば、一部のカメラは、フルとハーフの両方のフレームイメージをキャプチャすることが可能である。この場合、データフレームは何れかのサイズとすることが可能である。
【００２２】
デジタルイメージユニットでは、データフレームは、プリント可能／表示可能なデジタルイメージファイルとして提供される。デジタルメモリのデータフレームは、他のイメージファイルと同一サイズの制限を有している。データフレームは、特定の解像度に限定されず、典型的には、データフレームは、イメージユニットのその他のイメージファイルの１以上と同一サイズである。データフレームが当該データフレームを読み取るのに必要な最小の解像度により格納されている場合、イメージユニットの格納スペースは、カメラ又は他のキャプチャ装置のイメージキャプチャの制限内で保存することが可能である。この場合、非データフレームは、データフレームより高い解像度によりキャプチャ及び格納されるであろう。イメージ自体でなくイメージ関連情報を含むイメージファイルのヘッダもまた、データフレームではない。デジタルデータフレームが関連するイメージと同じ方法によりデジタル処理を実行可能であることが好ましい。例えば、デジタルユニットのイメージフレームが非可逆圧縮／解凍を受けることが予想される場合、データフレームは、非データフレームと同じ方法による許容できない劣化なく同じ非可逆的圧縮／解凍から存続することが可能となるように構成される。
【００２３】
データフレームは、米国特許出願第２００３／００９０５７２号に記載されているデジタル・プリント・オーダ・ファイルとは、データフレームがイメージとして格納及びプリント可能であり、非データフレームの場所を占有するという点で異なっている。デジタル・プリント・オーダ・ファイルなどは、他のイメージフレームと同じ方法によりイメージとして格納されず、又はプリント可能でない。
【００２４】
データフレームは、他のイメージフレームと同じ方法によりキャプチャすることが可能である。すなわち、電子イメージャや写真フィルムなどの感光媒体が、データフレームのライトイメージに露光される。ライトイメージは、透過若しくは反射プリント又はデータフレームコンテンツの表示によって提供することが可能である。デジタルイメージユニットでは、データフレームは、デジタル生成可能であるか、又は写真フィルムについて記載されるようにキャプチャ可能である。デジタルカメラは、データフレームのライトイメージをキャプチャすることが可能であり、その後に、それはデジタルイメージユニットに格納される。
【００２５】
データフレームのキャプチャは、非データフレームのキャプチャ前、キャプチャ中又はキャプチャ後に行うことが可能である。（非データフレームのキャプチャ後のデータフレームのキャプチャは、イメージが適切な格納スペースを欠いているリスクがある場合、好ましくない。）データフレームは、特定時点におけるイメージユニットを所持する何れかの者によりキャプチャ可能である。例えば、メーカーは、製造中にデータフレームをキャプチャすることが可能であり、販売者又はディーラーは、イメージユニットをエンドユーザに引き渡す前にデータフレームをキャプチャすることが可能である。エンドユーザはまた、データフレームをキャプチャすることが可能である。データフレームはまた、写真加工プロセスの初期的な部分としてキャプチャすることが可能である。
【００２６】
データフレームコンテンツは、コンテンツのキャプチャ及び対応するデータフレームの生成を可能にする形式により、ユーザなどに提供することが可能である。データフレームコンテンツのサイズは、データフレームコンテンツが提供される環境と、データフレームをキャプチャするのに使用されるカメラ又は他のキャプチャ装置の特徴に基づく。（便宜上、以下において、イメージキャプチャはカメラに関して説明される。）例えば、データフレームコンテンツは、カメラに近接して保持されるカードなどの小さなメディア上に、又はある距離で撮影されたポスターや広告看板など遠く離れた大きなメディア上に提供することが可能である。キャプチャを容易にするため、撮影者がカメラのビューファインダのデータフレームコンテンツをより簡単に位置合わせすることを可能にする標準的な又は他の機能が提供可能である。暗い環境でのイメージキャプチャのための適切な照明などの他の機能を提供することが必要であるかもしれない。
【００２７】
ピクチャが撮影される方法に応じて、データフレームコンテンツは、データフレームのすべて又は一部のみを占有することが可能である。データフレームコンテンツは、データフレームの大部分、より好ましくはすべてを占有することが好ましい。これは、データフレームを入力コンテンツとして含むユーザピクチャがデータフレームとして取り扱われることを防ぐ。データフレームのサイズ及び性質は、カメラによるクローズフォーマシングに対する制限など、データフレームの特定のサイズ要件及び他の制限を満たすよう可変とすることが可能である。例えば、シンプルなオートフォーカスカメラによるキャプチャに便利なデータフレームコンテンツは、ビューファインダを満たす３〜６フィートにおけるライトイメージ（及びイメージフレーム）を提供するようサイジングされる。使い捨てカメラを使用するデータフレームのキャプチャのための装置の具体例は、参照することによりここに含まれる米国特許第６，６２８，８９５号に開示される。
【００２８】
データフレームは、特定のフルフィルメント情報（ｆｕｌｆｉｌｌｍｅｎｔ  ｉｎｆｏｒｍａｔｉｏｎ）を提供するため読み取り可能なマークを有するイメージフレームである。データフレームは、他のイメージが記録される又は記録可能であるのと同じ方法によりイメージユニットのフレームに記録される。フルフィルメント情報は、同じイメージユニットにおいて非データフレームを処理するのに使用される写真加工サブチャネルを規定する。
【００２９】
ここで使用される“写真加工チャネル”という用語は、ユーザに出力される最終的なイメージを生成するための所定のアナログ及びデジタル又はデジタル写真加工手順を参照する。本方法及びシステムは、一般にここではイメージがフィルム上にキャプチャされ、スキャニング及びデジタル処理前に化学処理される実施例に関して説明される。写真フィルムでは、写真加工チャネルは、化学的現像と、１以上のデジタル処理アルゴリズムのキャプチャされたイメージのデジタル化バージョンへの適用を含む。デジタルキャプチャチャネルは類似しているが、化学的現像手順及びスキャニング又は光イメージから電子イメージへの他の変換を排除する。ここで使用される意味では、写真加工チャネルは、デジタルカメラ内で実行されるイメージ操作を含む。
【００３０】
“サブチャネル”は、特定チャネルの可変的な手順である。ここに説明されるサブチャネルはすべて、可変的なデジタルイメージ処理手順に関する。写真加工チャネルは、デフォルト手順を使用して出力イメージを提供するデフォルトサブチャネルを含む。
【００３１】
システム３００の写真加工チャネルは、表示及び格納されたデジタルイメージなどの出力製品を提供するデフォルト処理パスを有する。図１に示される白黒イメージなどのデジタル変更されるイメージを提供する１以上の他のサブチャネルが利用可能である。デフォルトパス及びサブチャネルは、少なくとも所定のデータフレームの使用が予測可能な写真加工サブチャネルの使用をもたらすことを保証するのに必要な程度まで、特定のイメージユニットのデジタル写真加工に対して予め決定される。
【００３２】
データフレームのマークは、写真加工ユニットにより読み取り可能な何れかの形式によるものとすることが可能である。例えば、マークは、光学的に可読な英数字テキスト及び／又は２次元若しくは３次元バーコードなどのエンコードメント（ｅｎｃｏｄｅｍｅｎｔ）とすることが可能である。このための有用なバーコードと関連する方法の具体例が、参照することによりここに含まれる、Ｋｅｅｃｈらによる米国特許第６，４５６，７９８号に開示されている。データフレームは、フィルフィルメント情報の１つ又は複数のアイテムを有することが可能である。マークは、バーコードや光学的に可読なテキストなど同一の又は異なる形式にフルフィルメント情報を繰り返すことが可能である。フルフィルメント情報のマークに加えて、データフレームは他の機能的又は装飾的な特徴を有することが可能であり、例えば、装飾的なイメージを提供することが可能である。データフレームは、データが隠され又はイメージ的に不明りょうとされるように構成されてもよい。１以上の暗号化レイヤが利用可能であり、フルフィルメント情報のマークは、簡単な検査について可視的なものとならないように、データフレーム上のイメージの内部に隠すことが可能である。メタデータの上記形式のすべての準備及び使用のための適切な方法及び装置が、当業者に周知である。
【００３３】
あるいは、データフレームは、所望のサブチャネルを呼び出す特定のシグネチャを有するイメージとすることも可能である。例えば、所望のサブチャネル写真加工があるイベントに適した周囲においてユーザにキャプチャされたイメージを含む冊子の生成である場合、データフレームは、当該イベントのロゴとすることが可能である。写真加工システムは、データフレームを含むロゴを読み取り、イメージフレームに対して適切に処理を行う。適切なサブチャネルを示すのに加えて、データフレームは、冊子のカバーとしてプリント及び使用可能である。
【００３４】
複数の暗号化レイヤが利用可能である。エンコードメント情報は、簡単な検査に対して可視的なものとならないように、ステガノグラフィック的にデータフレーム内に隠すことが可能である。これらの形式のエンコードメントのすべての準備及び使用のための適切な方法及び装置は、当業者に周知である。マークは、同一又は異なる形式により複数回繰り返すことが可能である。マークに加えて、データフレームは、他の機能的又は装飾的な特徴を有することが可能であり、例えば、データフレームにより示されるサブチャネルに関連するか、又は関連しない装飾的なイメージが提供可能である。
【００３５】
イメージユニット上の指標３０４は、イメージユニットのデータフレームの存在を通知するものである。当該指標の検出に応答して、データフレームがビットストリームから抽出される。データフレームが抽出された後、サブチャネル情報が読み取られる。その後、ビットストリームのイメージフレームはサブチャネル情報に従って処理される。指標が検出されない場合、デフォルトサブチャネルが使用される。
【００３６】
この指標はデータフレームから独立し、すなわち、データフレームを読み取ることなく、又はイメージユニットからデータフレームを抽出することなく、当該指標を読み取ることが可能である。指標はイメージユニットの外部で読み取り可能であることが好ましい。指標は、何れか便利な形式により提供することが可能であり、フルフィルメント前の何れかの時点に検出することが可能である。図１の実施例では、指標の検出は、ビットストリームの生成前とされる。指標３０４は、フィルムユニット上のＤＸコードの一部であり、指標はフィルムカートリッジの外部のＤＸコードを読み取ることによって検出される。あるいは、ＤＸコードは、スキャン中又はさらなるステップにおいて現像されたフィルム上で読み取り可能である。
【００３７】
指標は、光学的に又は他の手段により検出可能とすることができる。例えば、指標は、付属された又はそうでない場合にはイメージユニットに関連付けされたラジオ周波数識別トランスポンダ内のエンコードメントの一部として提供することが可能である。この場合、読み取りステーションは、トランスポンダのトランシーバの範囲内にイメージユニットを保持するよう構成される。
【００３８】
データフレームが、データフレームの必要とされる特徴を認識するアルゴリズムを使用してビットストリームから抽出される。アクセス情報の抽出は、光学文字認識、バーコード認識などに基づくものとすることが可能である。このための適切な技術が、当業者に周知である。このような技術をデータフレームのみに適用することに限定することが役立つ可能性がある。例えば、データフレームは、イメージフレームの１以上の所定のウィンドウに特定値を有するよう要求することが可能である。形状認識アルゴリズムが、データフレームにある１以上の特徴の検出のため、利用可能である。これらの特徴は、識別ミスの可能性を低減するため選択することが可能である。特定の特徴に対する適切なアルゴリズムの具体例が、参照することによりここに開示される米国特許第６，７４１，３２６号に開示される。
【００３９】
コントローラ３０８は、イメージフレームをプリンタ又は他の出力装置２１８に送信し、イメージフレームの最終的なイメージが出力として提供される。プリンタは、イメージフレームのすべてのプリントイメージを出力する。“最終的なイメージ”という用語は、ここではイメージユニットを送信したユーザに転送されるプリントイメージ、表示されたイメージ、ＣＤ−ＲＯＭやＤＶＤなどのデジタルメディアに記録された表示可能及びプリント可能イメージをまとめて参照するのに使用される。
【００４０】
写真加工システムは、ほとんど無制限な多様性によるサブチャネルを提供することが可能である。これらのサブチャネルにより提供されるフルフィルメントオプションは、一般に矯正的な努力、イメージ変更及び追加的な物品及び／又はサービスの提供の３つのカテゴリに大まかには分割することができる。矯正的な努力は、もとの情報コンテンツを維持するが、イメージの認識されるクオリティを向上させるためのものである。イメージ変更は、イメージのもとの情報コンテンツの一部を慎重に変更することである。テーブル１は、提供可能なフルフィルメントオプションの一部の具体例を列記している。
【００４１】
【表１】
2008525852.tif 000003
フルフィルメントオプションは、提供される特定の製品及び／又はサービスに適した何れかの方法により実現することが可能である。例えば、あるフルフィルメントオプションは、水中写真に見られる青みがかったキャスト（ｃａｓｔ）の自動補償を提供することが可能である。このタイプの仕上げ加工は、Ｓｅａ  ＰｒｏｃｅｓｓｉｎｇＴＭとしてニューヨークのロチェスターのＥａｓｔｍａｎ  Ｋｏｄａｋ  Ｃｏｍｐａｎｙにより販売されている。イメージユニットのＳｅａ  Ｐｒｏｃｅｓｓｉｎｇは、水上で撮影された写真を変更せずに、水中でキャプチャされた写真の様相を向上させるアルゴリズムを適用する。この場合、アルゴリズムは、必要に応じて自動的に適用される。他の例として、フルフィルメントは、ストックフォトのポスターを提供することが可能である。この場合、フルフィルメントの実現形態は、その後に要求された機能を提供するオペレータとの情報の通信を含めることができる。
【００４２】
図３において、パーソナルコンピュータシステム１１０によるデジタル写真加工システム３００が示される。コンピュータシステム１１０は、好適な実施例を説明するため示されているが、本発明は、図示されたコンピュータシステム１１０に限定されず、デジタルカメラ、ホームコンピュータ、キオスク、ドックプリンタ、デジタルカメラ及び記憶装置とやりとりする他の装置、消費者用又は業務用写真加工、又はデジタルイメージの処理のための他の何れかのシステムに見つけられるような何れかの電子処理システム上で利用可能である。コンピュータシステム１１０は、ソフトウェアプログラムを受付及び処理し、他の処理機能を実行するためのマイクロプロセッサベースユニット１１２（ここでは、デジタルイメージプロセッサとも呼ばれる）を有する。ディスプレイ１１４は、例えば、グラフィカルユーザインタフェースなどにより、ソフトウェアに係るユーザ関連情報を表示するため、マイクロプロセッサベースユニット１１２に電気的に接続される。キーボード１１６はまた、ユーザが情報をソフトウェアに入力することを可能にするため、マイクロプロセッサベースユニット１１２に接続される。入力のためキーボード１１６を使用する代わりに、当該技術において周知なように、マウス１１８が、ディスプレイ１１４上のセレクタ１２０を移動し、セレクタ１２０がオーバーレイするアイテムを選択するのに使用されてもよい。
【００４３】
典型的にはソフトウェアプログラムを含むＣＤ−ＲＯＭ（Ｃｏｍｐａｃｔ  Ｄｉｓｋ−Ｒｅａｄ  Ｏｎｌｙ  Ｍｅｍｏｒｙ）１２４が、ソフトウェアプログラム及び他の情報をマイクロプロセッサベースユニット１１２に入力する手段を提供するため、マイクロプロセッサベースユニットに挿入される。さらに、フロッピー（登録商標）ディスク１２６はまた、ソフトウェアプログラムを有してもよく、ソフトウェアプログラムを入力するため、マイクロプロセッサベースユニット１１２に挿入される。あるいは、ＣＤ−ＲＯＭ１２４又はフロッピー（登録商標）１２６は、マイクロプロセッサベースユニット１１２に接続される外部にあるディスクドライブユニット１２２に挿入されてもよい。さらに、マイクロプロセッサベースユニット１１２は、当該技術において周知なように、ソフトウェアプログラムを内部に格納するためプログラムされてもよい。マイクロプロセッサベースユニット１１２はまた、ローカルエリアネットワークやインターネットなどの外部ネットワークとの電話線などのネットワーク接続１２７を有してもよい。プリンタ１２８はまた、コンピュータシステム１１０からの出力のハードコピーをプリントするため、マイクロプロセッサベースユニット１１２に接続されてもよい。
【００４４】
イメージはまた、カード１３０に電子的に実現されるデジタルイメージを有する既知のＰＣＭＣＩＡカード（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎの仕様に基づき）などのパーソナルコンピュータカード（ＰＣカード）１３０を介しディスプレイ１１４に表示されてもよい。ＰＣカード１３０は、最終的には、ディスプレイ１１４上へのイメージの視覚表示を可能にするため、マイクロプロセッサベースユニット１１２に挿入される。あるいは、ＰＣカード１３０が、マイクロプロセッサベースユニット１１２に接続される外部にあるＰＣカードリーダ１３２に挿入することが可能である。イメージはまた、コンパクトディスク１２４、フロッピー（登録商標）ディスク１２６又はネットワーク接続１２７を介し入力されてもよい。ＰＣカード１３０、フロッピー（登録商標）ディスク１２６又はコンパクトディスク１２４に格納され、又はネットワーク接続１２７を介し入力される任意のイメージが、デジタルカメラ（図示せず）又はスキャナ（図示せず）などの各種ソースから取得されてものであってもよい。イメージはまた、マイクロプロセッサベースユニット１１２に接続されるカメラドッキングポート１３６を介しデジタルカメラ１３４から直接入力されてもよく、又はマイクロプロセッサベースユニット１１２とのケーブル接続１３８若しくは無線接続１４０を介しデジタルカメラ１３４から直接入力されてもよい。
【００４５】
出力装置は、変換された最終的なイメージを提供する。出力装置は、紙又は他のハードコピーによる最終的なイメージを提供するプリンタ又は出力装置とすることが可能である。出力装置はまた、最終的なイメージをソフトコピーによる最終的なイメージとして提供する表示出力装置とすることも可能である。出力装置はまた、最終的なイメージをデジタルファイルとして提供する出力装置とすることが可能である。出力装置はまた、プリントイメージ、ＣＤ又はＤＶＤなどのメモリユニット上のデジタルファイルなどの出力の組み合わせを含むことも可能である。
【００４６】
本発明は、デジタルイメージを生成する複数のキャプチャ装置と共に利用可能である。例えば、図３は、イメージキャプチャ装置が、カラーネガ又はリバーサルフィルム上でシーンをキャプチャする従来の写真フィルムカメラと、フィルム上で現像されたイメージをスキャンし、デジタルイメージを生成するフィルムスキャナ装置であるデジタル現像システムを表すことが可能である。キャプチャ装置はまた、ＣＣＤ（Ｃｈａｒｇｅ−Ｃｏｕｐｌｅｄ  Ｄｅｖｉｃｅ）やＣＭＯＳイメージャなどの電子イメージャを有する電子キャプチャユニット（図示せず）とすることが可能である。電子キャプチャユニットは、電子イメージャから信号を受信し、当該信号をデジタル形式に増幅及び変換し、イメージ信号をマイクロプロセッサベースユニット１１２に送信するアナログ・デジタルコンバータ／アンプを有することが可能である。
【００４７】
マイクロプロセッサベースユニット１１２は、意図した出力装置又はメディアに喜んで見えるイメージを生成するため、デジタルイメージを処理する手段を提供する。本発明は、以下に限定されるものではないが、デジタル写真プリンタやフォストコピーディスプレイを含むことが可能な各種出力装置と共に利用可能である。マイクロプロセッサベースユニット１１２は、喜んで見えるイメージがイメージ出力装置によって生成されるようにして、デジタルイメージの全体的な明るさ、トーンスケール、イメージ構成などの調整を行うため、デジタルイメージを処理するのに利用可能である。当業者は、本発明が上述したイメージ処理機能のみに限定されるものでないということを認識するであろう。
【００４８】
デジタルイメージは、１以上のデジタルイメージチャネル又はカラーコンポーネントを含む。各デジタルイメージチャネルは、２次元ピクセルアレイである。各画素値は、物理的なピクセル領域に対応するイメージングキャプチャ装置により受付された光量に関連する。カラーイメージングアプリケーションでは、デジタルイメージはしばしば、赤色、緑色及び青色のデジタルイメージチャネルから構成される。モーションイメージングアプリケーションは、デジタルイメージシーケンスとみなすことが可能である。当業者は、本発明が以下に限定されるものではないが、ここに記載されるアプリケーションの何れかのデジタルイメージチャネルに適用可能であるということを認識するであろう。デジタルイメージチャネルは、行と列により構成される画素値の２次元アレイとして記載されるが、当業者は、本発明が等しい効果により非直線アレイに適用可能であるということを認識するであろう。当業者はまた、後述されるようなデジタルイメージ処理ステップについて、もとの画素値を処理された画素値に置換することが、もとの画素値を維持しながら、処理された画素値により新たなデジタルイメージを生成するものと同一の処理ステップを記載することと機能的に等価であるということを認識するであろう。
【００４９】
図３に示される一般的な制御コンピュータは、例えば、磁気ディスク（フロッピー（登録商標）ディスクなど）や磁気テープなどの磁気記憶媒体、光ディスク、光テープやマシーン可読バーコードなどの光記憶媒体、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのソリッドステート電子記憶装置を含みうるコンピュータ可読記憶媒体に実現するプログラムを格納することが可能である。関連するコンピュータプログラムの実現形態はまた、オフライン記憶装置により示されるコンピュータプログラムを格納するのに使用される他の何れかの物理装置又は媒体に格納されてもよい。
【００５０】
また、本発明は、ソフトウェア及び／又はハードウェアの組み合わせにより実現可能であり、同一の物理的位置の範囲内に存在し、及び／又は物理的に接続される装置に限定されるものでないということに留意すべきである。図３に示される装置の１以上が、遠隔は位置され、ネットワークを介し接続可能である。装置の１以上は、ラジオ周波数リンクなどにより無線接続可能であり、直接的に又はネットワークを介し接続することも可能である。
【００５１】
本発明は、各種ユーザコンテクスト及び環境において利用されてもよい。一例となるコンテクスト及び環境は、限定されることなく、ホールセールデジタル写真加工（フィルムイン、デジタル処理、プリントアウトなどの一例となるプロセスステップ又はステージに関する）、リテイルデジタル現像（フィルムイン、デジタル処理、プリントアウト）、ホームプリンティング（家庭でスキャンされたフィルム若しくはデジタルイメージ、デジタル処理、プリントアウト）、デスクトップソフトウェア（より向上されるため、又は単なるの変更のため、アルゴリズムをデジタルプリントに適用するソフトウェア）、デジタルフルフィルメント（メディアから又はウェブを介したデジタルイメージイン、デジタル処理、メディア上のデジタル形式によるイメージイン、ウェブを介したデジタル形式、ハードコピープリントへのプリント、又はソフトコピーディスプレイ）、キオスク（デジタル又はスキャン入力、デジタル処理、デジタル又はハードコピー出力、又はソフトコピーディスプレイ）、モバイル装置（処理ユニット、表示ユニット、処理命令を与えるためのユニットとして利用可能なＰＤＡ又は携帯電話など）、及びワールドワイドウェブを介し提供されるサービスを含む。
【００５２】
各ケースにおいて、本発明は、スタンドアローンであってもよく、又はより大きなシステムソリューションのコンポーネントであってもよい。さらに、スキャニング若しくは入力、デジタル処理、ユーザへの表示（必要な場合）、ユーザリクエスト又は処理命令の入力（必要な場合）、出力などのヒューマンインタフェースは、それぞれ同一又は異なる装置及び物理的位置にあってもよく、各装置及び各位置の間の通信は、パブリック若しくはプライベートネットワーク接続又はメディアベース通信を介したものとすることが可能である。本発明の上記開示と整合するとき、本発明の方法は、完全に自動化されていてもよく、ユーザ入力を有するものであってもよく（完全又は部分的に手動である）、結果を受け付け／拒絶するためのユーザ又はオペレータの確認を有してもよく、又は（ユーザ供給され、測定装置（カメラなど）によって供給され、又はアルゴリズムによって決定される）メタデータによって支援されてもよい。さらに、アルゴリズムは、各種ワークフローユーザインタフェーススキームとインタフェースをとるようにしてもよい。
【００５３】
本発明は、ここに記載される実施例の組み合わせを含む。“ある特定の実施例”などの表現は、本発明の少なくとも１つの実施例に存在する特徴を参照している。“ある実施例”、“特定の実施例”などの各表現は、必ずしも同一の実施例を参照しているとは限らない。しかしながら、このような実施例は、そのように示されていない場合、又は当業者に容易に明らかであるときは、互いに排他的なものではない。
【００５４】
本方法及びシステムは、ここでは１つのＤＸコード又は他の指標のみを使用しながら、多数の各種サブチャネルが特別な写真加工に提供されることを可能にする。例えば、Ｓｅａ  ＰｒｏｃｅｓｓｉｎｇＴＭについて、ダブルプリント、カラーフィルムからの白黒プリント、オーダによるイメージのバンドルされたＣＤ、セピアトーンプリントの各種サブチャネルが提供可能である。
【００５５】
本方法及びシステムは、ここでは計算時間を節約する。特別な写真加工のＤＸコードなどの指標が検出されない場合、写真加工システムは、当該特別な写真加工を特定するデータフレームを検索せず、オーダはデフォルトサブチャネルを使用して標準的な方法により処理される。指標が存在するとき、写真加工システムは、予め露光されたデータフレームを検索し、何れの特別な写真加工が適用されるべきか判断する必要を警告される。
【００５６】
本方法及びシステムは、ここではさらなる認証値を提供する。特別な写真加工のＤＸコードなどの指標が検出されない場合、写真加工システムは、当該特別な写真加工を指定するデータフレームを検索せず、オーダはデフォルトサブチャネルを使用して標準的な方法により処理される。指標があるときは、写真加工システムは、予め露光されたデータフレームを検索し、何れの特別な写真加工が適用されるべきか決定するための必要を警告される。指標の存在はサブチャネルによる検出及び処理に必要であるため、指標なしに販売されたイメージユニットは、デフォルト以外のサブチャネルにより処理することはできない。従って、データフレームが、支払をすることなくサブチャネルの値を取得するため、指標のないメモリユニットによりキャプチャされた場合、イメージフレームは、データフレームにより呼び出される処理の利益を受けることができない。
【図面の簡単な説明】
【００５７】
【図１】図１は、イメージユニットを処理するシステムの実施例の図である。
【図２】図２は、図１と同じイメージユニットを処理する従来のシステムの図である。
【図３】図３は、本方法の実施例のフローチャートである。
【図４】図４は、本システムの他の実施例の図である。
【図１】
2008525852.tif 000004
【図２】
2008525852.tif 000005
【図３】
2008525852.tif 000006
【図４】
2008525852.tif 000007
【国際調査報告】
2008525852.tif 000008
2008525852.tif 000009
2008525852.tif 000010
2008525852.tif 000011
2008525852.tif 000012
2008525852.tif 000013
2008525852.tif 000014